(57)【要約】【課題】携行品が保持者から離れたことを早期に検出することにより遺失を防止する技術を提供することを目的とする。【解決手段】センタ装置に接続された複数の無線ＩＤリーダを用い、センタ装置が、保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定し、前記２つのタグＩＤを一の無線ＩＤリーダから同時とみなせる時間内に受信していないと判定した場合に、前記保持者に通知を行うように構成する。【選択図】  図１
2004310370.tif 000002
【特許請求の範囲】
【請求項１】
センタ装置に接続された複数の無線ＩＤリーダを用いることにより、ある物体がその物体の保持者から離れたことを通知する方法であって、
センタ装置が、保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定し、
センタ装置が、前記２つのタグＩＤを一の無線ＩＤリーダから同時とみなせる時間内に受信していないと判定した場合に、前記保持者に通知を行うことを特徴とする方法。
【請求項２】
前記センタ装置は、前記第１の無線ＩＤタグのタグＩＤに対応付けて第２の無線ＩＤタグのタグＩＤを予め格納し、
一の無線ＩＤリーダから第１の無線ＩＤタグのタグＩＤを受信した際に、該第１の無線ＩＤタグのタグＩＤに対応付けて格納されている第２の無線ＩＤタグのタグＩＤを該一の無線ＩＤリーダから同時とみなせる時間内に受信したか否かを判定することにより前記判定を行う請求項１に記載の方法。
【請求項３】
前記センタ装置は、タグＩＤを受信すると、該タグＩＤに対応付けてタイムスタンプと、該タグＩＤの送信元であるＲＦ−ＩＤリーダのリーダＩＤとを格納し、
前記第１の無線ＩＤタグのタグＩＤに対応付けて格納されるタイムスタンプとリーダＩＤ、及び、前記第２の無線ＩＤタグのタグＩＤに対応付けて格納されるタイムスタンプとリーダＩＤを比較することにより前記判定を行う請求項２に記載の方法。
【請求項４】
前記センタ装置は、タグＩＤを受信すると、該タグＩＤに対応付けてタイムスタンプと、該タグＩＤの送信元であるＲＦ−ＩＤリーダのリーダＩＤとを格納し、
前記２つのタグＩＤを一の無線ＩＤリーダから同時とみなせる時間内に受信していないと判定したときに、前記２つのタグＩＤのうちの予め定めた１つのタグＩＤに対応して格納されているリーダＩＤに基づき位置情報を前記保持者に通知する請求項１に記載の方法。
【請求項５】
ある物体がその物体の保持者から離れたことを通知する方法であって、
保持者が保持する携帯型無線ＩＤリーダが該保持者が保持すべき物体に取り付けられた無線ＩＤタグのタグＩＤを検知しない場合に、該タグＩＤを含む非検知通知をセンタ装置に送信し、
センタ装置は、該非検知通知を受信し、該非検知通知に含まれるタグＩＤに基づき前記保持者に通知を行うことを特徴とする方法。
【請求項６】
ある物体がその物体の保持者から離れたことを通知する方法であって、
センタ装置は、保持者が保持すべき物体に取り付けられた無線ＩＤタグのタグＩＤを予め格納し、
センタ装置は、該保持者が保持する携帯型無線ＩＤリーダが前記タグＩＤを検知せず、該タグＩＤを受信しない場合に、該タグＩＤに基づき前記保持者に通知を行うことを特徴とする方法。
【請求項７】
前記携帯型無線ＩＤリーダはＧＰＳ装置を備え、前記保持者が保持すべき物体に取り付けられた無線ＩＤタグのタグＩＤを検知する場合には、該タグＩＤと、前記ＧＰＳ装置により取得したＧＰＳ位置情報とタイムスタンプとを前記センタ装置に送信し、
センタ装置は、該タグＩＤに対応付けて該タイムスタンプと該ＧＰＳ位置情報とを格納し、
前記携帯型無線ＩＤリーダが前記タグＩＤを検知しない場合に、格納したタイムスタンプとＧＰＳ位置情報とを用いて、前記タグＩＤが携帯型無線ＩＤリーダにより検知されていた時間の中で最新の時間における位置情報を前記保持者に通知する請求項５又は６に記載の方法。
【請求項８】
所定の場所に配置された複数の無線ＩＤリーダを用いることにより、ある物体がその物体の保持者から離れたことを通知するためのセンタ装置であって、
保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定する手段と、
前記２つのタグＩＤを一の無線ＩＤリーダから同時とみなせる時間内に受信していないと判定した場合に、前記保持者に通知を行う手段と
を有することを特徴とするセンタ装置。
【請求項９】
前記センタ装置は、前記第１の無線ＩＤタグのタグＩＤに対応付けて第２の無線ＩＤタグのタグＩＤを予め格納する手段を有し、
一の無線ＩＤリーダから第１の無線ＩＤタグのタグＩＤを受信した際に、該第１の無線ＩＤタグのタグＩＤに対応付けて格納されている第２の無線ＩＤタグのタグＩＤを該一の無線ＩＤリーダから同時とみなせる時間内に受信したか否かを判定することにより前記判定を行う請求項８に記載のセンタ装置。
【請求項１０】
前記センタ装置は、タグＩＤを受信すると、該タグＩＤに対応付けてタイムスタンプと、該タグＩＤの送信元であるＲＦ−ＩＤリーダのリーダＩＤとを格納する手段を有し、
前記第１の無線ＩＤタグのタグＩＤに対応付けて格納されるタイムスタンプとリーダＩＤ、及び、前記第２の無線ＩＤタグのタグＩＤに対応付けて格納されるタイムスタンプとリーダＩＤを比較することにより前記判定を行う請求項９に記載のセンタ装置。
【請求項１１】
タグＩＤを受信すると、該タグＩＤに対応付けてタイムスタンプと、該タグＩＤの送信元であるＲＦ−ＩＤリーダのリーダＩＤとを格納する手段と、
前記２つのタグＩＤを一の無線ＩＤリーダから同時とみなせる時間内に受信していないと判定したときに、前記２つのタグＩＤのうちの予め定めた１つのタグＩＤに対応して格納されているリーダＩＤに基づき位置情報を前記保持者に通知する手段を有する請求項８に記載のセンタ装置。
【請求項１２】
ある物体がその物体の保持者から離れたことを通知するためのセンタ装置であって、
保持者が保持する携帯型無線ＩＤリーダが該保持者が保持すべき物体に取り付けられた無線ＩＤタグのタグＩＤを検知しない場合に、該携帯型無線ＩＤリーダから該タグＩＤを含む非検知通知を受信する手段と、
該非検知通知に含まれるタグＩＤに基づき前記保持者に通知を行う手段と
を有することを特徴とするセンタ装置。
【請求項１３】
ある物体がその物体の保持者から離れたことを通知するためのセンタ装置であって、
保持者が保持すべき物体に取り付けられた無線ＩＤタグのタグＩＤを予め格納する手段と、
該保持者が保持する携帯型無線ＩＤリーダが前記タグＩＤを検知せず、該タグＩＤを受信しない場合に、該タグＩＤに基づき前記保持者に通知を行う手段と
を有することを特徴とするセンタ装置。
【請求項１４】
前記携帯型無線ＩＤリーダはＧＰＳ装置を備え、前記保持者が保持すべき物体に取り付けられた無線ＩＤタグのタグＩＤを検知する場合には、該タグＩＤと、前記ＧＰＳ装置により取得したＧＰＳ位置情報とタイムスタンプとを前記センタ装置に送信し、
センタ装置は、該タグＩＤに対応付けて該タイムスタンプと該ＧＰＳ位置情報とを格納する手段と、
前記携帯型無線ＩＤリーダが前記タグＩＤを検知しない場合に、格納したタイムスタンプとＧＰＳ位置情報とを用いて、前記タグＩＤが携帯型無線ＩＤリーダにより検知されていた時間の中で最新の時間における位置情報を前記保持者に通知する手段とを有する請求項１２又は１３に記載のセンタ装置。
【請求項１５】
所定の場所に配置された複数の無線ＩＤリーダを用いることにより、ある物体がその物体の保持者から離れたことを通知するため処理をコンピュータに実行させるプログラムであって、
保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定する手順と、
前記２つのタグＩＤを一の無線ＩＤリーダから同時とみなせる時間内に受信していないと判定した場合に、前記保持者に通知を行う手順と
をコンピュータに実行させるプログラム。
【請求項１６】
一の無線ＩＤリーダから第１の無線ＩＤタグのタグＩＤを受信した際に、該第１の無線ＩＤタグのタグＩＤに対応付けて格納されている第２の無線ＩＤタグのタグＩＤを該一の無線ＩＤリーダから同時とみなせる時間内に受信したか否かを判定することにより前記判定を行う請求項１５に記載のプログラム。
【請求項１７】
タグＩＤを受信すると、該タグＩＤに対応付けてタイムスタンプと、該タグＩＤの送信元であるＲＦ−ＩＤリーダのリーダＩＤとを格納する手順と、
前記２つのタグＩＤを一の無線ＩＤリーダから同時とみなせる時間内に受信していないと判定したときに、前記２つのタグＩＤのうちの予め定めた１つのタグＩＤに対応して格納されているリーダＩＤに基づき位置情報を前記保持者に通知する手順とをコンピュータに実行させる請求項１５に記載のプログラム。
【請求項１８】
ある物体がその物体の保持者から離れたことを通知するための処理をコンピュータに実行させるプログラムであって、
保持者が保持する携帯型無線ＩＤリーダが、該保持者が保持すべき物体に取り付けられた無線ＩＤタグのタグＩＤを検知しない場合に、該携帯型無線ＩＤリーダから該タグＩＤを含む非検知通知を受信する手順と、
該非検知通知に含まれるタグＩＤに基づき前記保持者に通知を行う手順と
をコンピュータに実行させるプログラム。
【請求項１９】
ある物体がその物体の保持者から離れたことを通知するための処理をコンピュータに実行させるプログラムであって、
保持者が保持すべき物体に取り付けられた無線ＩＤタグのタグＩＤを予め格納する手順と、
該保持者が保持する携帯型無線ＩＤリーダが前記タグＩＤを検知せず、該タグＩＤを受信しない場合に、該タグＩＤに基づき前記保持者に通知を行う手順と
をコンピュータに実行させるプログラム。
【請求項２０】
請求項１５ないし１９のうちいずれか１項に記載のプログラムを記録したコンピュータ読み取り可能な記録媒体。
【発明の詳細な説明】
【０００１】
【発明の属する技術分野】
本発明は、携行品を遺失した場合における早期発見を可能とし、更に携行品の遺失を防止するための技術に関する。
【０００２】
【従来の技術】
携行品の遺失を防止するための技術の例として、携行品を収納する収納体に電波を送信する小型送信機を備え、当該収納体が携帯電話から所定の距離離れることにより携帯電話が当該収納体から電波を受信できなくなったときに携帯電話からメロディを発し、保持者に収納体が離れたことを知らせる技術がある（特許文献１参照）。また、腕時計から、ＰＤＡや携帯電話などの携帯端末が一定の距離離れたときに、その携帯端末の操作をロックすることにより携帯端末が盗難にあっても被害を最小限にする技術が開発されている。その他、従来技術として特許文献１〜７に示した技術がある。
【０００３】
【特許文献１】
特開２００２−３３４３８５号公報
【０００４】
【特許文献２】
特開２００２−３１９０７５号公報
【０００５】
【特許文献３】
特開２００２−１９００７７号公報
【０００６】
【特許文献４】
特開２００２−１５９０５６号公報
【０００７】
【特許文献５】
特開２００１−２８３３５０号公報
【０００８】
【特許文献６】
特開２００１−２３７９５０号公報
【０００９】
【特許文献７】
特開２０００−２１５３７４号公報
【００１０】
【発明が解決しようとする課題】
しかしながら、上記従来の技術では、遺失した携行品がどこにあるかを把握することができず、早期に携行品を発見することは困難である。
【００１１】
本発明は上記の点に鑑みてなされたものであり、携行品が保持者から離れたことを早期に検出することにより遺失を防止する技術を提供することを目的とする。
【００１２】
【課題を解決するための手段】
上記の目的は、センタ装置に接続された複数の無線ＩＤリーダを用いることにより、ある物体がその物体の保持者から離れたことを通知する方法であって、センタ装置が、保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定し、センタ装置が、前記２つのタグＩＤを一の無線ＩＤリーダから同時とみなせる時間内に受信していないと判定した場合に、前記保持者に通知を行う方法により解決される。
【００１３】
本発明によれば、保持者が保持する２つの物体（携行品など）に取り付けられた２つの無線ＩＤタグから同じリーダによりそれぞれのタグＩＤを検知したか否かを判定するので、２つの物体のうちの１つを常時身につけるものとすることにより、もう一方の物体が保持者から離れたか否かを判定できる。そして、その判定結果に基づいて通知を行うことができる。また、複数の無線ＩＤリーダとセンタ装置を用いる構成としたことにより、携行品が遺失した後において携行品の位置情報を提供することが可能となる。
【００１４】
また、前記センタ装置は、タグＩＤを受信すると、該タグＩＤに対応付けてタイムスタンプと、該タグＩＤの送信元であるＲＦ−ＩＤリーダのリーダＩＤとを格納し、前記２つのタグＩＤを一の無線ＩＤリーダから同時とみなせる時間内に受信していないと判定したときに、前記２つのタグＩＤのうちの予め定めた１つのタグＩＤに対応して格納されているリーダＩＤに基づき、位置情報を前記保持者に通知することにより、携行品が保持者の身を離れた際の携行品の位置情報を通知することができる。
【００１５】
また、上記の目的は、ある物体がその物体の保持者から離れたことを通知する方法であって、保持者が保持する携帯型無線ＩＤリーダが、該保持者が保持すべき物体に取り付けられた無線ＩＤタグのタグＩＤを検知しない場合に、該タグＩＤを含む非検知通知をセンタ装置に送信し、センタ装置は、該非検知通知を受信し、該非検知通知に含まれるタグＩＤに基づき前記保持者に通知を行う方法によっても解決できる。
【００１６】
本発明によれば、携帯型無線ＩＤリーダが保持者が保持すべき物体に取り付けられた無線ＩＤタグのタグＩＤを検知しないことに基づきセンタ装置が通知を行うので、携行品が保持者から離れたことを通知できる。
【００１７】
また、本発明は、所定の場所に配置された複数の無線ＩＤリーダを用いることにより、ある物体がその物体の保持者から離れたことを通知するためのセンタ装置であって、保持者が保持すべき第１の物体に取り付けられる第１の無線ＩＤタグのタグＩＤと、該保持者が保持すべき第２の物体に取り付けられる第２の無線ＩＤタグのタグＩＤとを、前記複数の無線ＩＤリーダのうちの一の無線ＩＤリーダから同時とみなせる時間内に受信するか否かを判定する手段と、前記２つのタグＩＤを一の無線ＩＤリーダから同時とみなせる時間内に受信していないと判定した場合に、前記保持者に通知を行う手段とを有するセンタ装置として構成することもできる。
【００１８】
また、ある物体がその物体の保持者から離れたことを通知するためのセンタ装置であって、保持者が保持する携帯型無線ＩＤリーダが該保持者が保持すべき物体に取り付けられた無線ＩＤタグのタグＩＤを検知しない場合に、該携帯型無線ＩＤリーダから該タグＩＤを含む非検知通知を受信する手段と、該非検知通知に含まれるタグＩＤに基づき前記保持者に通知を行う手段とを有するセンタ装置として構成することもできる。
【００１９】
更に、本発明は、上記方法における各手順をコンピュータに実行させるプログラムとして構成することもできる。
【００２０】
【発明の実施の形態】
以下、図面を参照して本発明の実施の形態について説明する。本実施の形態では、ＲＦ−ＩＤシステムを利用して携行品の遺失防止あるいは遺失した場合の位置の把握を行う。
【００２１】
ここで、ＲＦ−ＩＤシステムとはＲａｄｉｏ  Ｆｒｅｑｕｅｎｃｙ  Ｉｄｅｎｔｉｆｉｃａｔｉｏｎ  ｓｙｓｔｅｍ（電波方式認識システム）の略である。ＲＦ−ＩＤシステムは、ＲＦ−ＩＤリーダと、ＲＦ−ＩＤタグとから構成され、ＲＦ−ＩＤリーダとＲＦ−ＩＤタグ間で無線通信を行うことにより、ＲＦ−ＩＤリーダがＲＦ−ＩＤタグに格納されている情報を読み取ることが可能である。ＲＦ−ＩＤタグには種々の形状、例えばラベル型、カード型などがあり、財布、傘、バッグなどの携行品に容易に取り付けることが可能である。また、ＲＦ−ＩＤリーダとＲＦ−ＩＤタグ間の通信距離が１０ｍ程度のものも近年開発されている。なお、本明細書では、一般的に“ＲＦ−ＩＤ”と称されている技術を含むより広い意味の用語として“無線ＩＤ”を用いる場合がある。
【００２２】
まず、本発明の実施の形態（第１〜第３の実施の形態）の概要を図１を用いて説明する。
【００２３】
第１の実施の形態では、街頭の所定の複数の場所にＲＦ−ＩＤリーダを設置しておく。そして、予め貴重品等の携行品にＲＦ−ＩＤタグを付けておき、街頭に設置したＲＦ−ＩＤリーダが、携行品に付けられたＲＦ−ＩＤタグのタグＩＤを読み取ることにより当該携行品が当該ＲＦ−ＩＤリーダの近くにあることを検知し、タグＩＤ、リーダＩＤをセンタシステムに送信する。センタシステムでは、タグＩＤに対応して、リーダＩＤ、タイムスタンプからなる情報を順次格納する。このような構成とすることにより、貴重品が遺失した際、パソコンや携帯端末等（携帯電話、ＰＤＡ等）からセンタシステムにアクセスすることにより、遺失物の現在位置や過去の移動履歴の探索が可能となり、遺失物の早期発見が可能となる。
【００２４】
第２の実施の形態でも街頭の所定の複数の場所にＲＦ−ＩＤリーダを設置しておく。そして、予め携行品にＲＦ−ＩＤタグを取り付け、更に、当該携行品の保持者がその携行品とは別に常時携帯するもの（例えば財布、洋服など）にＲＦ−ＩＤタグを取り付けておく。街頭に設置してあるＲＦ−ＩＤリーダが、携行品に付与したＲＦ−ＩＤタグのタグＩＤと常時携行するものに付与したＲＦ−ＩＤタグのタグＩＤとを検知し、両方のＲＦ−ＩＤタグのタグＩＤ及びリーダＩＤをセンタシステムに送信する。センタシステムでは、上記２つのタグＩＤが同じＲＦ−ＩＤリーダにより検出されているか否かを監視し、２つのタグＩＤが異なるＲＦ−ＩＤリーダで検知されたり、いずれかが全く検知されなくなったりした場合等に、保持者の携帯端末などにアラーム通知を行う。これにより、携行品が身から離れたことを早期に発見でき、遺失防止につながる。
【００２５】
第３の実施の形態では、ユーザが携帯型ＲＦ−ＩＤリーダを所持する。そして、予め携行品にＲＦ−ＩＤタグを付けておき、携帯型ＲＦ−ＩＤリーダは一定時間毎にセンタシステムにタグＩＤ及びリーダＩＤを送信する。センタシステムは当該リーダＩＤに対応して当該タグＩＤを受信しているか否かを監視しており、当該携帯型ＲＦ−ＩＤリーダから当該タグＩＤを受信しなくなった場合に、保持者の携帯端末などにアラーム通知を行う。
【００２６】
以下、各実施の形態についてより詳細に説明する。
【００２７】
（第１の実施の形態）
図２に第１の実施の形態のシステム構成図を示す。
【００２８】
図２に示すように、本実施の形態におけるシステムは、街頭の所定の場所に配置された複数のＲＦ−ＩＤリーダ１と、ＲＦ−ＩＤリーダ１からの情報を受信するセンタシステム２と、ユーザ端末３とがインターネット４に接続された構成をとる。ユーザ端末３は例えばＰＣ（パーソナルコンピュータ）である。また、移動体通信網を介して移動体端末をインターネットに接続可能であり、システム側から移動体端末にメールを送信することも可能である。上記ユーザ端末としてこの移動体端末を使用することが可能である。なお、ＲＦ−ＩＤリーダ１は種々の方法でインターネット４に接続することが可能であるが、例えば移動体通信網を介してインターネット４に接続される。
【００２９】
センタシステム２は、情報管理サーバ２１とその記憶装置２２、及びメール送信サーバ２３を有している。なお、センタシステム２は、本発明に係る処理を行うプログラムとメール送信処理を行うプログラムとを有する１台のコンピュータとして構成してもよいし、各上記処理毎に複数台のコンピュータで構成してもよい。また、上記のプログラムはネットワークを介して他のコンピュータに提供することも可能であるし、ＣＤ−ＲＯＭのような記録媒体に格納してコンピュータにインストールすることも可能である。
【００３０】
また、ＲＦ−ＩＤリーダ１は、無線通信によりタグＩＤを読み取る読み取り部１１と、信号をインターネット４を介して送信するための通信装置１２と、動作の制御を行う制御装置１３を有している。制御装置１３は、リーダＩＤや通信に必要なデータなどを記憶しておく記憶機能と、必要に応じてアラーム表示などを行うための表示機能とを有している。
【００３１】
次に、センタシステム２が記憶する情報について説明する。図３は、センタシステム２が記憶するユーザ個別情報を示し、図４は、センタシステム２が記憶する共通情報を示す。
【００３２】
図３に示すように、センタシステム２はユーザ個別情報として、ユーザＩＤと、そのユーザＩＤに対応したタグＩＤ及びユーザメールアドレスを保持している。また、タグＩＤ毎に、各ＲＦ−ＩＤリーダから受信するリーダＩＤと、受信する都度付されるタイムスタンプとからなる情報が順次蓄積される。図３では、時間の古いものから新しいものに順に情報番号が付され、最新情報番号としてｎ＋αが付されていることが示されている。
【００３３】
また、タグＩＤに対応して、所定のＲＦ−ＩＤリーダを通過した際に、ユーザの通知先に通知するとの設定として、そのリーダＩＤがそのタグＩＤに対応付けて“通知指定リーダＩＤ”として記録される。
【００３４】
また、図４に示すように、共通情報としては、リーダＩＤと対応付けてリーダＩＤ場所コードを保持し、そのリーダＩＤ場所コードに対応付けて住所等の場所情報を保持している。
【００３５】
次に、第１の実施の形態におけるシステムの動作について図５を参照して説明する。
【００３６】
上述したように携行品にはＲＦ−ＩＤタグを取り付けておく。携行品の保持者が、街頭に設置されたＲＦ−ＩＤリーダから所定の範囲内に入ると（ステップＳ１）、そのＲＦ−ＩＤリーダが当該ＲＦ−ＩＤタグのタグＩＤを検出する（ステップＳ２）。ここで所定の範囲内とは、ＲＦ−ＩＤリーダが無線通信によりタグＩＤを検出できる距離内のことである。
【００３７】
そして、ＲＦ−ＩＤリーダはインターネットを介してセンタシステムへ検出信号を送出する（ステップＳ１）。検出信号には、検出したタグＩＤと当該ＲＦ−ＩＤリーダのリーダＩＤとを含む。なお、ＲＦ−ＩＤリーダからリーダＩＤをセンタシステムに送信する代わりに、センタシステムが、タグＩＤを送信したＲＦ−ＩＤリーダのアドレスなどからリーダＩＤを受信したタグＩＤに付与するようにしてもよい。
【００３８】
検出信号を受信したセンタシステムは、検出信号にタイムスタンプを付与するとともに、当該タグＩＤに対応付けて、タイムスタンプとリーダＩＤとを記憶装置へ最新情報として格納する（ステップＳ３）。データは逐次格納し、一定期間経過後に消去する。
【００３９】
携行品の保持者が携行品を遺失した場合には、ユーザ端末から、ユーザＩＤを入力することによりセンタシステムにアクセスする（ステップＳ４）。アクセスを受けたセンタシステムは、当該ユーザＩＤに対応するタグＩＤを取得し（ステップＳ５）、そのタグＩＤに対応する最新のリーダＩＤとタイムスタンプを入手する（ステップＳ５）。そして、そのリーダＩＤの実際の場所情報を取得し（ステップＳ７）、ユーザ端末に表示を行う（ステップＳ８）。表示に際しては住所と時間を文字で表示してもよいし、地図を表示してその中での位置を示すようにしてもよい。なお、上記のユーザが複数のタグＩＤを登録していた場合には、複数の携行品に関する情報が表示される。また、複数の携行品の情報を表示する代わりに、センタシステムへのアクセス時に状況を把握したい携行品のタグＩＤを入力することにより、当該タグＩＤに関する情報のみを表示することも可能である。
【００４０】
ユーザが、携行品の移動経路について把握する場合には、まずユーザ端末から上記と同様にしてセンタシステムにアクセスする。そして、確認をしたい期間を入力し、センタシステムに送信する。アクセスを受けたセンタシステムは、当該ユーザＩＤに対応するタグＩＤを取得し、そのタグＩＤに対応する当該期間における複数のリーダＩＤとタイムスタンプからなる情報を入手する。そして、各リーダＩＤの実際の場所情報を取得し、タイムスタンプとその場所情報を用いて、タイムスタンプに示された時間毎の携行品の位置をユーザ端末に表示する。
【００４１】
（第２の実施の形態）
次に、第２の実施の形態について説明する。第２の実施の形態におけるシステム構成は第１の実施の形態と同様である。ただし、本実施の形態では、携行品にＲＦ−ＩＤタグを付するのみならず、携行品以外の物で携行品の保持者が常に所持するような物にもＲＦ−ＩＤタグを付けておく（これをｗａｔｃｈ用タグ付き携行品と称する）。また、センタシステムが格納する情報も第１の実施の形態とほぼ同様であるが、図６に示すような情報が追加される。すなわち、タグＩＤに対して、当該タグＩＤを有するＲＦ−ＩＤリーダを付した携行品が遺失した場合にセンタシステムからメールなどを利用して連絡するあて先である緊急連絡先が登録される。これにより、携行品が遺失したときをに緊急連絡先に連絡することが可能となる。このタグＩＤと紛失時連絡先は例えばユーザ登録時に登録する。
【００４２】
次に、図７を参照して第２の実施の形態におけるシステムの動作について説明する。ＲＦ−ＩＤタグ付きの携行品とｗａｔｃｈ用タグ付き携行品の保持者が、街頭に設置された複数のＲＦ−ＩＤリーダのうちの一つのＲＦ−ＩＤリーダに所定の範囲内に近づくと（ステップＳ１１）、そのＲＦ−ＩＤリーダが、ＲＦ−ＩＤタグ付きの携行品のＲＦ−ＩＤタグのタグＩＤ（以下タグＩＤ１とする）と、ｗａｔｃｈ用タグ付き携行品のＲＦ−ＩＤタグのタグＩＤ（以下、タグＩＤ２とする）とを検出する（ステップＳ１２）。ここで所定の範囲内とは、ＲＦ−ＩＤリーダが無線通信によりタグＩＤを検出できる距離内のことである。
【００４３】
そして、ＲＦ−ＩＤリーダはインターネットを介してセンタシステムへ各携行品についての検出信号を送出する（ステップＳ１２）。各検出信号には、検出したタグＩＤと当該ＲＦ−ＩＤリーダのリーダＩＤとを含む。なお、ＲＦ−ＩＤリーダからリーダＩＤをセンタシステムに送信する代わりに、センタシステムが、タグＩＤを送信したＲＦ−ＩＤリーダのアドレスなどからリーダＩＤを受信したタグＩＤに付与するようにしてもよい。
【００４４】
検出信号を受信したセンタシステムは、各検出信号にタイムスタンプを付与するとともに、各タグＩＤに対応付けて、タイムスタンプとリーダＩＤとを記憶装置に格納する（ステップＳ１３）。すなわち、携行品に対応するタグＩＤ１に対するタイムスタンプとリーダＩＤの情報と、ｗａｔｃｈ用タグ付き携行品に対応するタグＩＤ２に対するタイムスタンプとリーダＩＤの情報とを格納する。
【００４５】
センタシステムは、タグＩＤ１とタグＩＤ２とが同一のＲＦ−ＩＤリーダから同時とみなせる時間内に検出されているか否かをチェックする。この処理は例えば次のようにして実行する。センタシステムはタグＩＤ１とタグＩＤ２とを対応付けて予め格納しておく。そして、タグＩＤ１、２のうちのいずれかを受信したと判断した場合に、そのときに格納した例えばタグＩＤ２に対応するタイムスタンプとリーダＩＤを用いて、タグＩＤ１に対応して格納されている情報を検索し、タグＩＤ２に対応するタイムスタンプと同一もしくは所定の範囲内の時間（この範囲内の時間のことを“同時とみなせる時間”とする）のタイムスタンプと当該リーダＩＤとを有する情報があるか否かをチェックする。このような情報があれば、タグＩＤ１とタグＩＤ２とが同一のＲＦ−ＩＤリーダから同時とみなせる時間内に検出されていると判定し、携行品は保持者が有しており、遺失は発生していないと判断する（ステップＳ１４のＹｅｓ）。
【００４６】
タグＩＤ１とタグＩＤ２とが同一のＲＦ−ＩＤリーダから同時に検出されてはいないと判定した場合には（ステップＳ１４のＮｏ）、携行品とｗａｔｃｈ用タグ付き携行品とがいっしょに保持者に保持されていないと考えられる。すなわち、保持者が携行品を遺失したと考えられるので、センタシステムは、タグＩＤ１に対して登録されている連絡先に連絡をする（ステップＳ１５）。この連絡は保持者のＰＣや携帯端末にメール送信するようにしてもよいし、保持者の携帯電話やＰＨＳを呼び出して所定の音声メッセージを流すようにしてもよい。
【００４７】
ＲＦ−ＩＤリーダが多く配置されていれば、保持者は携行品が自分の身を離れたことを、自分の身を離れてから短時間で認識できるので、すぐに携行品を見つける行動に移ることができ、遺失の防止につながる。
【００４８】
また、携行品を遺失してからは、第１の実施の形態と同様にして携行品の現在位置や移動経路を把握することが可能である。
【００４９】
なお、上記の実施の形態では、２つのＲＦ−ＩＤタグが同時に１つのＲＦ−ＩＤリーダから検出されない場合に保持者へ通知を行うこととしているが、同時に別々のＲＦ−ＩＤリーダで２つのＲＦ−ＩＤタグが検出された場合に携行品の紛失があったと判断して通知を行うようにしてもよい。
【００５０】
また、上記の実施の形態では、保持者がＲＦ−ＩＤタグ付きの携行品とｗａｔｃｈ用タグ付き携行品とを１つづつ保持する場合について説明しているが、複数のＲＦ−ＩＤタグ付きの携行品を保持し、複数の当該携行品のうちの１つ又は複数が紛失した場合にも上記と同様の方法により保持者へ通知をすることが可能である。更に、ｗａｔｃｈ用タグ付き携行品を複数保持してもよい。
【００５１】
（第３の実施の形態）
次に第３の実施の形態について説明する。第３の実施の形態では、携行品が保持者から離れたことを、街頭に設置したＲＦ−ＩＤリーダではなく保持者が携行する携帯型ＲＦ−ＩＤリーダを用いて検出する。
【００５２】
図８に示すように第３の実施の形態におけるシステム構成は、センタシステム２に、移動無線データネットワーク６とインターネット４を介して携帯型ＲＦ−ＩＤリーダ５が接続される構成をとる。
【００５３】
携帯型ＲＦ−ＩＤリーダ５は、無線通信によりタグＩＤを読み取る読み取り部５１と、信号を移動通信網６を介して送信するための移動通信装置５２と、動作の制御を行う制御装置５３と、自身の位置情報を取得するためのＧＰＳ装置５４とを有している。制御装置５３は、リーダＩＤや通信に必要なデータなどを記憶しておく記憶機能と、必要に応じてアラーム表示などを行うための表示機能とを有している。また、ＧＰＳ装置５４は位置情報とともに時刻情報を取得することができ、その時刻情報を用いることにより、携帯型ＲＦ−ＩＤリーダ５はタグＩＤ検出時にタイムスタンプを付与する。
【００５４】
センタシステム２の構成は第１、２の実施の形態の場合と同様である。また、格納する情報は第２の実施の形態とほぼ同様であるが、ユーザ個別情報が異なる。図９は、第３の実施の形態においてセンタシステム２が格納するユーザ個別情報を示し、タイムススタンプ／リーダＩＤの情報に対し、携帯型ＲＦ−ＩＤリーダの情報に対してＧＰＳ位置情報が付加される。また、図１０に示すように、携帯型ＲＦ−ＩＤリーダには携行品に付するＲＦ−ＩＤタグのタグＩＤを登録しておく。
【００５５】
次に、第３の実施の形態におけるシステムの動作を図１１を用いて説明する。携行品の保持者は、ＲＦ−ＩＤタグを取り付けた携行品に加えて携帯型ＲＦ−ＩＤリーダを保持する。携帯型ＲＦ−ＩＤリーダすぐ近くにＲＦ−ＩＤが存在するので、遺失などの発生していない通常の場合には携帯型ＲＦ−ＩＤリーダは携行品に付けられたＲＦ−ＩＤタグのタグＩＤを検知し、タグＩＤと携帯型ＲＦ−ＩＤリーダのリーダＩＤとそのときのＧＰＳ位置情報及びタイムスタンプからなる検出信号をセンタシステムに送信する（ステップＳ３１）。センタシステムは、当該タグＩＤに対応して、タイムスタンプとリーダＩＤとＧＰＳ位置情報とを記憶装置へ格納する（ステップＳ３２）。なお、センタシステムがタイムスタンプを付与してもよい。また、上記の送信を行う時間間隔は、予め設定しておくことができる。
【００５６】
一方、携帯型ＲＦ−ＩＤリーダは、保持者が保持している携行品に取り付けられたＲＦ−ＩＤタグのタグＩＤを検知しているか否かを定期的にチェックする（ステップＳ３３）。すなわち、タグＩＤを検知し、更にそのタグＩＤが予め登録したタグＩＤと同じか否かを一定時間毎にチェックする。
【００５７】
携行品が携帯型ＲＦ−ＩＤから離れた場合など、携帯型ＲＦ−ＩＤリーダが携行品に付されたＲＦ−ＩＤタグのタグＩＤを一定時間検知しなかった場合には（ステップＳ３３におけるＹｅｓ）、携帯型ＲＦ−ＩＤリーダはセンタシステムに対して当該タグＩＤを含む非検知通知を送信する。
【００５８】
非検知通知を受けたセンタシステムは（ステップＳ３４）、非検知通知に含まれるタグＩＤから、当該タグＩＤに対応付けて格納されている情報を検索し、最新のタイムスタンプに対応するＧＰＳ位置情報を取得し（ステップＳ３５）、そのＧＰＳ位置情報を住所などの有意な場所情報に変換する（ステップＳ３６）。この変換は、例えば、ＧＰＳ位置情報を、別に設けられた地図情報サーバに送信し、地図情報サーバから場所情報を受信することにより行うこともできるし、センタシステム内にＧＰＳ位置情報に対する場所情報を格納したデータベースを用意しておくことにより行うこともできる。
【００５９】
そして、センタシステムは、タグＩＤから保持者への連絡先を取得して保持者にアラーム通知するとともに、場所情報を通知し、ユーザ端末などでアラームや位置情報が出力される（ステップＳ３７）。センタシステムは非検出通知を受けてすぐに位置情報を取得するので、位置情報は携行品が保持者の身から離れた場所に近いと考えられ、携行品を発見できる可能性が高くなる。
【００６０】
また、第１の実施の形態と同様にすれば、遺失した携行品の最新もしくは過去の位置情報を取得することが可能である。
【００６１】
なお、上記の例では、携帯型ＲＦ−ＩＤリーダが特定のタグＩＤを検知するか否かのチェックをすることにより、携行品が保持者の身を離れたか否かを判定していたが、センタシステム側に上記携行品に対応するタグＩＤを登録しておき、当該タグＩＤと携帯型ＲＦ−ＩＤリーダのリーダＩＤとをセットで検知するか否かで携行品が保持者の身を離れたか否かを判定してもよい。
【００６２】
また、ＧＰＳ装置を搭載しない携帯型ＲＦ−ＩＤリーダを用いても、上記の方法によれば、携行品が保持者の身を離れたか否かを検知することは可能である。そして、携行品が保持者の身を離れたことの判定を行った後に、第１の実施の形態と同様にして最新の位置情報や過去の位置情報を提供するようにしてもよい。また、上記の実施の形態では、保持者がＲＦ−ＩＤタグ付きの携行品を１つ保持する場合について説明しているが、複数のＲＦ−ＩＤタグ付きの携行品を保持し、複数の当該携行品のうちの１つ又は複数が紛失した場合にも上記と同様の方法により保持者へ通知をすることが可能である。
【００６３】
なお、本発明は、上記の実施例に限定されることなく、特許請求の範囲内において、種々変更・応用が可能である。
【００６４】
【発明の効果】
上述した通り、本発明によれば携行品が保持者を離れたことをすぐに保持者に通知するので、携行品の遺失を防止できる可能性を高めることができる。更に、携行品が保持者を離れた場所や、携行品が遺失した後の携行品の存在位置を提供することができるので、携行品が遺失した際の早期発見が可能となる。
【図面の簡単な説明】
【図１】本発明の実施の形態（第１〜第３の実施の形態）の概要を説明するための図である。
【図２】第１の実施の形態のシステム構成図である。
【図３】第１の実施の形態においてセンタシステム２が格納するユーザ個別情報を示す図である。
【図４】第１の実施の形態においてセンタシステム２が格納する共通情報を示す図である。
【図５】第１の実施の形態におけるシステムの動作を説明するための図である。
【図６】第２の実施の形態においてセンタシステム２が格納する情報の一部を示す図である。
【図７】第２の実施の形態におけるシステムの動作について説明するための図である。
【図８】第３の実施の形態におけるシステム構成図である。
【図９】第３の実施の形態においてセンタシステム２が格納するユーザ個別情報を示す図である。
【図１０】第３の実施の形態において携帯型ＲＦ−ＩＤリーダが格納する情報を示す図である。
【図１１】第３の実施の形態におけるシステムの動作を説明するための図である。
【符号の説明】
１  ＲＦ−ＩＤリーダ
２  センタシステム
３  ユーザ端末
４  インターネット
５  携帯型ＲＦ−ＩＤリーダ
６  移動無線データネットワーク
１１  読み取り部
１２  通信装置
１３  制御装置
５１  読み取り部
５２  移動通信装置
５３  制御装置
５４  ＧＰＳ装置
【図１】
2004310370.tif 000003
【図２】
2004310370.tif 000004
【図３】
2004310370.tif 000005
【図４】
2004310370.tif 000006
【図５】
2004310370.tif 000007
【図６】
2004310370.tif 000008
【図７】
2004310370.tif 000009
【図８】
2004310370.tif 000010
【図９】
2004310370.tif 000011
【図１０】
2004310370.tif 000012
【図１１】
2004310370.tif 000013